(57)【要約】      （修正有）【課題】ホックを用いてベルト等に装飾体を着脱自在に取り付けた際、不用意に装飾体が外れて紛失しないようにする。【解決手段】雄ホック１のゲンコ２において、その頸部５に平行面を有する段差係合部を形成する。雄ホック１はこの段差係合部のところにバネ１０の平行部１０ａ、１０ｂが係合することにより抜けにくく、紛失のおそれがない。一方、９０°回転することによりバネ１０の平行部１０ａ、１０ｂから段差係合部が逃れるため、あとは通常のホックと同様に簡単に取り外すことができる。【選択図】図９
2014014490.tif 000002
【特許請求の範囲】
【請求項１】
ゲンコの頸部であって、この頸部の外周面に、頸部の直径より小さい幅で平行に落ち込んだ係合段差部を形成する、雌ホックのゲンコ嵌合口の奥に平行にバネ材を組み付け、前記ゲンコをこのゲンコ嵌合口から挿入したとき、前記係合段差部にバネ材が係合することにより、ゲンコとバネ材の係合関係が強固となるように設定し、ゲンコ側を回転して前記係合段差部とバネ材の係合関係を解除することにより雄ホックを取り外し易いように構成してなるホック。
【請求項２】
前記ゲンコの頸部を断面三角形、四角形、五角形又は六角形に形成して成る請求項１に記載のホック。
【請求項３】
前記雄ホックにおいて、ゲンコと反対側の皿部には、装飾体が取り付けられていることを特徴とする請求項１又は２に記載のホック。
【発明の詳細な説明】
【技術分野】
【０００１】
本発明は、留め具として用いられるホックに関し、詳しくは、雄ホックを雌ホックへ嵌合しやすく、一旦嵌合するとそのままでは外れ難く、しかし外したい場合には雄ホック側をある角度回転することにより簡単にとり外すことができる特徴を有し、特に装飾体をホックを用いてベルトやバッグあるいは衣服等に着脱自在に装着するときに有用なホックに関する。
【背景技術】
【０００２】
一般的なホックに求められる機能上の条件は、留め易く外れ難いという相反する条件を満たすことであり、このためにホックを設計する場合には、雄ホック側のゲンコに対してバネ強度を用途に応じて適切に設定することが求められる。
【０００３】
しかし、ベルト、カバン、衣服等の装飾やデザインを目的として、ベルト等側にバネ側を取り付けておき、装飾体をゲンコ側の皿の表面に取り付けたホックにあっては、ゲンコ（装飾体）がバネから外れ易いと高価な装飾体を紛失してしまうことがあり、このようなホックにあっては外れ難いことが条件となる。
【０００４】
このため、装飾体付のホックにあっては、バネとゲンコの嵌合強度を高めて一旦嵌合すると外れにくい強度に設計しているが、あまり強度を高めてしまうとゲンコの着脱がしにくくなり、不便である。
【０００５】
しかし、装飾体は、違うものに交換して使用することも多く、このような場合にゲンコの取り外しがしにくいというのも問題がある。
【発明の概要】
【発明が解決しようとする課題】
【０００６】
本発明は、バネ側に対するゲンコの取り付け及び取り外しが簡単で、一旦装着した上は不用意に外れて紛失したりしないホックを提供することを課題とする。  
【課題を解決するための手段】
【０００７】
上記課題を解決するため、請求項１に記載の発明は、ゲンコの頸部であって、この頸部の外周面に、頸部の直径より小さい幅で平行に落ち込んだ係合段差部を形成する、雌ホックのゲンコ嵌合口の奥に平行にバネ材を組み付け、前記ゲンコをこのゲンコ嵌合口から挿入したとき、前記係合段差にバネ材が係合することにより、ゲンコとバネ材の係合関係が強固となるように設定し、ゲンコ側を回転して前記係合段差部とバネ材の係合関係を解除することにより雄ホックを取り外し易いように構成してなることを特徴とするものである。
【０００８】
また、請求項２に記載の発明は、請求項１に記載のホックにおいて、ゲンコの頸部を断面三角形、四角形、五角形又は六角形に形成して成ることを特徴とするものである。
【０００９】
また、請求項３に記載の発明は、請求項１又は２に記載のホックにおいて、雄ホックにおいてゲンコと反対側の皿部には、装飾体が取り付けられていることを特徴とするものである。
【発明の効果】
【００１０】
本発明に係るホックは、雄側ホックのゲンコの頸部の周囲に平行に段差係合部を形成したことにより、ゲンコをバネ穴内に挿入したあと、バネが段差係合部内に落ち込むまで雄ホック側を回転すると、バネは段差係合部内に落ち込んでこの段差係合部を両側から挟み込む。
【００１１】
この結果、この状態では雄ホック側は回転も阻止され、外れ（抜け出）も阻止されるため、不用意に外れてゲンコ側（装飾体側）を紛失したりしない。
【００１２】
そして、雄ホック側を取り外したい場合には、雄ホック側を例えば９０°回転すると、バネは段差係合部から外れてゲンコ側の頸部の外周面まで拡がる。この結果、ゲンコ側は簡単に外れることから、装飾体を別のものに交換したりする際に便利である。
【図面の簡単な説明】
【００１３】
【図１】雄ホックの側面図
【図２】雄ホックの側面図
【図３】雄ホックの正面図
【図４】雄ホックを裏側から見た正面図
【図５】Ａ―Ａ´線断面図
【図６】Ｂ―Ｂ´線断面図
【図７】雄ホックに装飾体を取り付けた状態の断面図
【図８】雄ホックに装飾体を取り付けた状態の断面図
【図９】雄ホックと雌ホックを対向させた状態の説明図
【図１０】雄ホックと雌ホックを対向させた状態の説明図
【図１１】雄ホック側のゲンコを雌ホック側のバネ穴内に挿入した状態の説明図
【図１２】雄ホック側の段差係合部にバネが係合している状態の説明図
【図１３】雄ホック 側のゲンコを雌ホック側のバネ穴内に挿入した通常状態の説明図
【図１４】雄ホック側のゲンコの頸部にバネが係合関係している状態の説明図
【図１５】ベルトの装飾体取付用ホックとして用いた例の説明図
【発明を実施するための形態】
【００１４】
本発明は、通常のホックとしても実用化が可能であるが、装飾体をベルトやバッグに装着するための装着具として使用したときに効果を発揮する。通常のホックの場合はそのまま着脱できることが前提であるが、本発明を実施したホックは、雄側のゲンコを雌側のバネ穴内に挿入したあと、固く留める場合には一定の角度回転することが必要であり、外す場合は一定の角度回転して緩くすることが条件である。つまり、ホックの着脱においては雄ホック側を回転するという動作が一回必要である。
【００１５】
ホックの材質は、金属を前提とするがバネ材を除き樹脂成型品としても良い。
【実施例】
【００１６】
図１〜図１５に基づいて請求項１〜３に記載した本発明の実施例を詳細に説明する。
【００１７】
符号の１はゲンコ２を正面の中央に突出形成した雄ホック、３はこの雄ホックの皿部であって、未だ装飾体を取り付ける前の状態である。４はゲンコ２の膨大部、５は前記膨大部４より小径の頸部であって、この頸部５には、頸部５の直径（図２のＷ）より小さい幅（図１のＷ１）の平行面６ａ、６ｂからなる段差係合部６が形成されている。
【００１８】
図７、８は、前記皿部３の周縁３ａを利用して装飾体７を雄ホック１の皿部３に取り付けた状態である。
【００１９】
図９、１０は、雌ホック８と雄ホック１を対向させた状態の説明図であって、雌ホック８の正面８ａの中央にはゲンコ２の挿入口９が形成されていて、このゲンコ２の挿入口９の奥には、前記雄ホック１の頸部５よりも小さい幅Ｗ２に設定された金属線材製のバネ１０の平行部１０ａ、１０ｂが挿入口９から正面視露出した状態で組み付けられている。
【００２０】
前記バネ１０は、雌ホック８の正面８ａの周縁８ｂを巻き込むようにしてバネ１０の外端１０ｃが押えられていることにより、雌ホック８の裏側に組み付けられている。
【００２１】
なお、図９、１０は、雄ホック１を雌ホック８に装着する前の状態、図１１、１３は雌ホック８に雄ホック１を装着した状態の説明図である。
【００２２】
図９、１０において、１１はベルト等の被装着物１３側に止め金１２を用いて雌ホック８をカシメ止めするカシメ部である。
【００２３】
図１１、図１２は、雌ホック８のゲンコ挿入口９内に正面から雄ホック１のゲンコ２が挿入され、平行面６ａ、６ｂにバネ１０の平行部１０ａ、１０ｂが係合している状態であって、バネ１０の平行部１０ａ、１０ｂは段差係合部６（平行面６ａ、６ｂの落ち込み）に係合することにより、そのまま雄ホック１（ゲンコ２）に引き抜き方向の力がかかっても引き抜くことはできない。
【００２４】
一方、図１２の矢印ａ又はｂのようにいずれか一方に雄ホック１を９０°回転すると、バネ１０の平行部１０ａ，１０ｂから段差係合部６が逃げてゲンコ２の頸部５がバネ１０の平行部１０ａ、１０ｂのところに回転してくる。
【００２５】
この結果、図１３、図１４に示すように、雄ホック１に引き抜き方向の力がかかると、通常のホックの場合と同様に雄ホック１側を雌ホック８より取り外すことができる。
【００２６】
図１５は、ベルト（被装飾物１３）に対して本発明のホックを用いて装飾体７を取り付けた状態を示すもので、矢印のＡは取り付け状態、Ｂは雄ホック１（装飾体７）を雌ホック８から取り外した状態を現している。
【００２７】
なお、本実施例において、ゲンコ２の頸部５の段差係合部６は平行面６ａ、６ｂとしたが、この段差係合部６は断面四角形としてもよい。この場合、雄ホック１側を取り外す場合には、４５°の回転で済むことになる。
【符号の説明】
【００２８】
１  雄ホック
２  ゲンコ
３  皿部
４  膨大部
５  頸部
６  段差係合部
７  装飾体
８  雌ホック
９  バネ
１０ａ、１０ｂ  平行部
【図１】
2014014490.tif 000003
【図２】
2014014490.tif 000004
【図３】
2014014490.tif 000005
【図４】
2014014490.tif 000006
【図５】
2014014490.tif 000007
【図６】
2014014490.tif 000008
【図７】
2014014490.tif 000009
【図８】
2014014490.tif 000010
【図９】
2014014490.tif 000011
【図１０】
2014014490.tif 000012
【図１１】
2014014490.tif 000013
【図１２】
2014014490.tif 000014
【図１３】
2014014490.tif 000015
【図１４】
2014014490.tif 000016
【図１５】
2014014490.tif 000017